(57)【要約】      （修正有）【課題】内部に蓄積する熱気と湿気を外部に効率よく放散できる布帛、雨カッパに適用しても雨水が内部に侵入がなく、常に快適な状態に保得る布帛の提供。【解決手段】上面編地と下面編地を連結する多数の連結糸１１からなる疎水性の細幅状三次元立体編物１０の上面編地が接着層１２を介して三次元立体編物１０より幅広の帯状上段補助布帛１３に接合され、立体編物の下面編地が接着層１２を介して三次元立体編物１０より幅広の帯状下段補助布帛１４に接合された通気部材ユニット５が、重なるように配置された上段布帛２と下段布帛３の接合部に配置されると共に、通気部材ユニット５の帯状上段補助布帛１３の両側端部が上段布帛２と取着され、帯状下段補助布帛１４の両側端部、又は下側端部が下段布帛３と取着されて、下段補助布帛１４の上側端部と上段布帛の間に第一の通気口、上段布帛２の下端部と下段布帛３の間に第二の通気口を設けた通気構造を有する布帛。【選択図】図１
2015096323.tif 000002
【特許請求の範囲】
【請求項１】
上面編地と下面編地を連結する多数の連結糸からなる疎水性の細幅状三次元立体編物の上面編地が接着層を介して三次元立体編物より幅広の帯状の上段補助布帛に接合され、該立体編物の下面編地が接着層を介して三次元立体編物より幅広の帯状の下段補助布帛に接合された通気部材ユニットが、上下に重なるように配置された上段布帛と下段布帛の重ね合せ部に配置されるとともに、該通気部材ユニットの帯状の上段補助布帛の両側端部が上段布帛に取着され、帯状の下段補助布帛の両側端部、または下側端部が下段布帛に取着されて、該下段補助布帛の上側端部と上段布帛との間に第一の通気口、該上段布帛の下端部と下段布帛との間に第二の通気口を設けたことを特徴とする通気構造を有する布帛。
【請求項２】
該帯状の下段補助布帛の上側端部が玉縁処理されてなることを特徴とする請求項１記載の通気構造を有する布帛。
【請求項３】
該通気部材ユニットが、三次元立体編物の上面編地に接合された上段補助布帛と、下面編
地に接合された下段補助布帛の下端部間に帯状のメッシュ布帛が配置され、該メッシュ布
帛の両端部が上段及び下段補助布帛の下端部に取着されたことを特徴とする請求項１乃至
２のいずれか１つに記載の通気構造を有する布帛。
【請求項４】
該上段補助布帛の下端部、又は上段布帛の下端部と、下段補助布帛の下端部、又は下段布
帛にスライドファスナーの左右の支持テープが各々取着され、第二の通気口の開口幅が調
整可能であることを特徴とする請求項１乃至３のいずれか１つに記載の通気構造を有する
布帛。
【請求項５】
請求項１乃至４のいずれか１つに記載の通気構造を有する布帛用の通気部材ユニット。
【請求項６】
請求項１乃至４のいずれか１つに記載の通気構造を有する布帛を使用した上衣及び／又は
ズボン。
【請求項７】
請求項１乃至４のいずれか１つに記載の通機構造を有する布帛を使用したアウトドア製品。
【発明の詳細な説明】
【技術分野】
【０００１】
本発明は、布帛の構造を変えることで機能性を高めた通気構造を有する布帛及び衣服に関するものである。
【０００２】
本発明の通気構造を有する布帛は、内部に蓄積する熱気と湿気を外部に効率よく放散することができるため、作業着、ワイシャツ、ユニフォーム、ジャンパー、コート、カジュアルウエア、運動用衣服、学生服、スポーツウエア、白衣、アンダーウエアなどの衣服に使用される。
特に、繊維織物にポリウレタンやポリエステルなどの樹脂をコーティングした布帛、ナイロン、ポリエステルなどの樹脂シート、ゴムシートなどの防水性布帛を使用した衣服用布帛の通気性を向上させることができため、例えばレインコート、レインスーツ、各種作業着、ヤッケ、アノラック、ウインドブレーカー、トレーナー、ポンチョ、登山衣、ブルゾンなどの防水性の各種衣服に好適に使用される。
以下の説明では、ポリエステル系繊維、ポリビニルアルコール系繊維、綿・麻などの天然繊維、レーヨンなどの再生繊維等を使用した織物、編物などの繊維製品、該繊維製品に樹脂をコーティン，または樹脂フィルムを積層したシート、ナイロン、ポリエステル、ポリエチレン、ポリプロピレン等の樹脂シート、又はそれらを積層した樹脂シート、繊維製品にウレタンコーティング、ウレタンラミネートあるいはアクリルコーティングにより防湿加工を施した防水透湿性の複合シート、ゴムシートなどを総称して布帛という。
【背景技術】
【０００３】
従来より、作業服やワイシャツ等の衣服は暑い時期、特にシャツなどのアンダーウエアを着用した場合には発汗し易く、衣服内部が蒸れて不快感を生じるとともに、発汗して蒸れた状態で冷房設備が備えられた建物内に入ると、急激に体温が低下して体に多大な負担をかける。そのため通気性や透湿性を備えた衣服が要望されている。
特に、雨天に着用するレインコート、レインスーツなどは、通気性が乏しく、内部が蒸れて発汗し、不快感を生じるため、防水性とともに、通気性、透湿性の機能を備えていることが強く要望されている。
近年、防水性と透湿性の両方の機能を備えた衣服用の布帛として、防水透湿性フィルムを布帛に積層した防水透湿性布帛や、防水透湿性フィルムの表面に織物の表生地を積層し、その裏面に裏生地を積層した防水透湿性を有する布帛などが提案されている(特許文献１、特許文献２、特許文献３参照)。
【０００４】
しかしながら、従来の防水透湿性を有する布帛には、次のような問題があった
（１）布帛の表面に水膜ができると通気孔が塞がれて透湿性が低下する。例えば、防水透湿性布帛を使用した衣服は、長年の使用により衣服表面の撥水性能が低下して表面に水膜ができたり、また、綿生地のような保水性のアンダーウエアを着用した場合には、綿生地が汗を吸って濡れて水膜の役割をして透湿性を阻害する。
（２）防水透湿性を有する布服は、衣服の内部で発生した水蒸気が外気圧以上に上昇するまで衣服を透過できないため、蒸気圧が上昇するまで衣服内部は蒸れた状態が維持される。
（３）水透湿性フィルムの強度を上げるためにフィルムに織物、編物等の布帛を積層すると防水透湿性布帛の製造コストがアップする。
（４）防水透湿性布帛を使用した雨衣、例えばスポーツ用の雨衣では、布帛に通気性がないため風であおられた時などに布帛同士が擦れて音が発生するため耳障りである。特にゴルフではスイング時の耳障りな音と雨衣の上衣が体にまとわりつくことでスムースなスイングができない。
【０００５】
本発明者らは、従来の防水防湿性を有する布帛及び該布帛を使用した衣服を徹底的に検討した結果、従来の防水透湿性布帛を使用した衣服、特に雨衣などでは布帛に通気性がないため基本的に上記問題点の解決が困難であり、通気性は布帛構造によってのみ改善されるとの結論に到達し、布帛に通気口を設け、かつ該通気口からの雨水侵入を防止することで
（１）通気性が向上し、かつ、通気口から流出する空気が衣服内部の湿気を同伴するため蒸れも解消できる。
（２）通気口からの雨水の侵入を確実に阻止する構造を採用することで雨衣の防水性が確保される。
ことを見出し、更に検討した結果、布帛を上下に分割し、該分割された上段布帛の下部と下段布帛の上部を重ね、かつ、該下段布帛の上端部を外側に折り返して雨水浸入防止用堰を形成し、該折り返し片と上段布帛の端部を、例えば３次元立体織物などの通気性の連結手段で連結して、該折り返し片と上段布帛との間に第一の通気口、該上段布帛の端部と下段布帛との間に第二の通気口を設け、該上段布帛の端部と重ね合せ部より下方の下段布帛を細幅の布帛で連結した通気性衣服を提案した（特許文献４参照）。
【０００６】
本発明者らが提案した、通気口を有する通気性衣服、例えば雨衣は、
（１）第二の通気口から流入する雨水が雨水浸入防止用堰で阻止される。
（２）第二の通気口から流入する空気が内部で発生する水蒸気を伴って第一の通気口から外部に排出される。
（３）上段布帛の端部と重ね合せ部より下方の下段布帛を細い布帛で連結することで、風の強い時に上段布帛の端部の捲き上がりが防止される。
など布帛構造によって防水防湿性に加えて通気性も有する雨衣の画期的な提案であったが、雨衣の装着者が前屈みになったり、両手を前で組むと背面に設けられた重ね合せ部の上段布帛が横方向に引っ張られて第一及び第二の通気口を塞ぐことがある。通気口が塞がれると通気性低下とともに透湿性も低下する。また下段布帛を引っ張ると下段布帛が垂れ下がって型崩れすることがある。更に、連結手段に使用する不織布や三次元立体編物は厚くて、柔らかいため上段布帛との縫着が困難で、例え縫着できたとしても縫着ラインに発生する凹凸と、使用後に乾燥した縫着糸の収縮により発生する皺が雨衣の表面に現れて外観を著しく損なうなどの問題があった。
【先行技術文献】
【特許文献】
【０００７】
【特許文献１】特開２００２−６１００９号公報
【特許文献２】特開昭６０−３９０１４号公報
【特許文献３】特開平１０−２９８８６９号公報
【特許文献４】特許第４６９７５６０号公報
【発明の概要】
【発明が解決しようとする課題】
【０００８】
したがって、本発明の第一の目的は、三次元立体編物と布帛との接合が容易で、しかも接合時に縫着ラインに凹凸が発生せず、また縫着糸が収縮しても縫着ラインに発生する皺が布帛の表面に現れない通気構造を有する布帛を提供することである。
本発明の第二の目的は、該通気構造を有する布帛を使用した雨衣の装着者が前屈みなどの姿勢をとっても通気口が閉塞されて通気性や透湿性が損なわれることのない通気構造を有する布帛を提供することである。
本発明の第三の目的は、下段布帛の垂れ下がりによる型崩れのない通気構造を有する布帛を提供することである。
本発明の第四の目的は、布帛の撥水性が低下して布帛の表面に水膜ができたとしても、第一の開口から水膜が侵入しない通気構造を有する布帛を提供することである。
本発明の第五の目的は、製造が容易で大量生産可能な安価な通気構造を有する布帛及び衣服を提供することである。
【課題を解決するための手段】
【０００９】
本発明者らは、上記目的を達成するため鋭意検討した結果、本発明に到達したものである。すなわち、本発明は、
(１)上面編地と下面編地を連結する多数の連結糸からなる疎水性の細幅状三次元立体編物の上面編地が接着層を介して三次元立体編物より幅広の帯状の上段補助布帛に接合され、該立体編物の下面編地が接着層を介して三次元立体編物より幅広の帯状の下段補助布帛に接合された通気部材ユニットが、上下に重なるように配置された上段布帛と下段布帛の重ね合せ部に配置されるとともに、該通気部材ユニットの帯状の上段補助布帛の両側端部が上段布帛に取着され、帯状の下段補助布帛の両側端部、または下側端部が下段布帛に取着されて、該下段補助布帛の上側端部と上段布帛との間に第一の通気口、該上段布帛の下端部と下段布帛との間に第二の通気口を設けたことを特徴とする通気構造を有する布帛である。
(２)該帯状の下段補助布帛の上側端部が玉縁処理されてなることを特徴とする請求項１記載の通気構造を有する布帛である。
(３)該通気部材ユニットが、三次元立体編物の上面編地に接合された上段補助布帛と、下面編地に接合された下段補助布帛の下端部間に帯状のメッシュ布帛が配置され、該メッシュ布帛の両端部が上段及び下段補助布帛の下端部に取着されたことを特徴とする請求項１乃至２のいずれか１つに記載の通気構造を有する布帛である。
(４)該上段補助布帛の下端部、又は上段布帛の下端部と、下段補助布帛の下端部、又は下段布帛にスライドファスナーの左右の支持テープが各々取着され、第二の通気口の開口幅が調整可能であることを特徴とする請求項１乃至３のいずれか１つに記載の通気構造を有する布帛である。
(５)請求項１乃至４のいずれか１つに記載の通気構造を有する布帛用の通気部材ユニットである。
(６)請求項１乃至４のいずれか１つに記載の通気構造を有する布帛を使用した上衣及び／又はズボンである。
(７)請求項１乃至４のいずれか１つに記載の通機構造を有する布帛を使用したアウトドア製品である。
【発明の効果】
【００１０】
本発明の通気構造を有する布帛は、
・  上面編地と下面編地の間から侵入する雨水は上下編地を連結する多数の疎水性連結糸に接触して確実に捕捉される。また、下段布帛の表面に拡散する水膜は下段布帛と通気部材ユニットの下段補助布帛を接合した接着層で阻止され、布帛内部への水膜(雨水)の侵入は確実に防止される。
・  三次元立体編物の上面編地に接合された上段補助布帛が上段布帛の先端部を内方に折り曲げた折返し部、または上段布帛の先端部に接合されるため、上段布帛の表面に接合皴や三次元立体編物の凹凸は現れない。
・  三次元立体編物の上面編地に上段補助布帛、下面編地に下段補助布帛を各々接着層を介して接合した通気部材ユニットを、上下に重なるように配置された上段布帛と下段布帛の重ね合せ部に配置することで通気構造を有する布帛の製作が容易となりコストダウンが可能である。
・  薄い布帛を使用した衣服では下段布帛の上端を玉縁処理して剛性を付与することで型崩れが防止できる。
・  本発明の通気構造を有する布帛を使用した衣服は生体に対する負担度が少なく、疲労が少ない。
などの優れた効果を奏している。
【図面の簡単な説明】
【００１１】
【図１】通気構造を有する布帛（１）の模式図
【図２】通気部材ユニットの模式図
【図３】通気構造を有する布帛（２）の模式図
【図４】通気構造を有する布帛（３）の模式図
【図５】通気構造を有する布帛（４）の模式図
【図６】通気構造を有する布帛（５）の模式図
【図７】通気構造を有する布帛（６）の模式図
【図８】図７に示す通気部材ユニットの製作説明図
【図９】スライドファスナーを取り付けた重ね合せ部の模式図
【図１０】既製の衣服への通気部材ユニットの取り付け模式図
【図１１】通気構造を有する布帛（１）の使用状態の説明図
【図１２】雨衣（１）の前面模式図
【図１３】雨衣（１）の背面模式図
【図１４】雨衣（２）の前面模式図
【図１５】雨衣（２）の背面模式図
【図１６】雨衣（３）の前面模式図
【図１７】雨衣（３）の背面模式図
【図１８】ズボンの模式図
【図１９】作業着の前面模式図
【図２０】作業着の背面模式図
【図２１】ジャンバーの前面模式図
【図２２】ジャンバーの背面模式図
【図２３】ランニングウエアの前面模式図
【図２４】袖口の模式図
【図２５】傘、又はパラソルの模式図
【図２６】屋外用遮蔽幕の模式図
【図２７】簡易設営テントの模式図
【図２８】幌付トラックの模式図
【図２９】外気温とカッパ内温度の差の変化を示すグラフ
【図３０】外気温と３種類のカッパ内温度との差の変化を示すグラフ
【図３１】被験者の心拍数の変化を示すグラフ
【図３２】被験者の酸素摂取量の変化を示すグラフ
【図３３】被験者の酸素脈の変化を示すグラフ
【発明を実施するための形態】
【実施例】
【００１２】
次に本発明の通気構造を有する布帛の一実施例を図面にて説明する。図１は本発明の通気構造を有する布帛１の説明図であり、該布帛１は上段布帛２の下部と下段布帛３の上部を重ね合せた重ね合せ部４が設けられている。該重ね合せ部４に上面編地８と下面編地９を連結する多数の連結糸１１からなる疎水性の細幅状三次元立体編物１０と上面編地８に接合された上段補助布帛１３と、下面編地９に接合された下段補助布帛１４から構成された通気部材ユニット５が取着されている。Ａは下段補助布帛の上端部と上段布帛２との間に形成された第一の通気口であり、Ｂは上段布帛２の下端部と下段布帛３との間に形成された第二の通気口である。
通気部材ユニット５は図２（ａ）に示すようにと、三次元立体編物の上面編地８に接着層１２を介して上段補助布帛１３が接合されている。三次元立体編物１０の下面編地９に下段補助布帛１４が接着層１２を介して接合されている。
通気部材ユニット５の上下段補助布帛１３、１４は、三次元立体編物１０よりも幅広であり、例えばその両端に５〜２０ｍｍ、通常８〜１５ｍｍ程度の接合部１５を有している。また、本発明の通気構造を有する布帛１を雨衣などに適用すると、通気部材ユニット５を上下段布帛２、３と接合する際に、左右両側端部に空隙ができ、その空隙から雨水が内部に侵入する恐れがある。かかる空隙の発生は、例えば次の方法で防止できる。図２（ｂ）に示すように、通気部材ユニット５を製作する際に、（１）三次元立体編物１０の左右両側部分の厚さを漸減させ、これを上下段布帛１３、１４で挟んで接合する。（２）三次元立体編物１０の左右両端部６を圧縮させた状態で接合する。図２（ｂ）は（２）の方法であり、上下布帛の左側部近傍で縫着している。一点鎖線は縫着ライン７であり、二条の縫着ラインを示している。
【００１３】
上段補助布帛１３の上端部は、上段布帛２と縫着され、更に、縫着ラインからの雨水の浸透を防ぐため、上段補助布帛１３の裏面側の縫着ラインの上から目止めテープ（図示せず）が貼着されている。縫着の代わりに上段補助布帛１３の上端部を上段布帛２の裏面に貼着、    
または接着テープで接合してもよい。
上段補助布帛１３の下端部は、上段布帛２の下端部を内側に短く折り返した折り返し片１７の先端部に接合、例えば縫着されている。縫着の代わりに、両面接着テープ、溶着、接着などで接合してもよい。重ね合せ部４は、上段布帛２と上段補助布帛１３の二重構造のため、三次元立体編物の貼着部に発生する上段補助布帛１３の皺や凹凸が上段布帛２の表面に現れることがなく、外観を損ねることはない。
【００１４】
下段布帛１４、または下段補助布帛１４の先端部は、型崩れ防止のため図１のように玉縁処理（パイピング）１６を施すことが好ましい。
玉縁処理(パイピング）１６は、下段布帛１４または下段補助布帛１４の先端部にバイアス布、テープ、リボン、撚糸やコードなどの芯材を包むように施される。玉縁処理されたテープ、例えばパイピングテープなどを下段布帛３または下段補助布帛１４の上端に取付けてもよい。布帛の先端が玉縁処理されているため先端部が硬くなり、下段布帛３が下方に引っ張られたとしても型崩れしない。柔らかい布帛の場合では玉縁処理１６が着用者の背中に当たって着心地が悪くなる恐れがある。その場合は玉縁の芯材に柔らかい芯材、例えば糸芯などを使用することが好ましい。型崩れしない剛性のある布帛やゴムシートなどを
使用する場合は玉縁処理を施さなくてもよい。
【００１５】
通気部材ユニット５を構成する三次元立体編物の上面編地８または下面編地９に接着層１２を介して上段補助布帛１３または下段補助布帛１４を接合する方法は特に限定されないが、通常下記の接合方法が採用される。
（１）上面編地８と下面編地９を連結する多数の連結糸１１からなる疎水性の帯状三次元立体編物１０の上下面を接着剤からなる接着層１２を介して上下段補助布帛と接合する場合には、上段補助布帛１３及び下段補助布帛１４に接着剤を塗布して接着層１２を設けた後、帯状の三次元立体編物１０を上段補助布帛１３の接着層１２上に積層し、次いで接着層１２を有する下段補助布帛１４を三次元立体編物１０に積層する。その後、熱プレス機の成形型間に介装させて加熱、加圧することにより積層一体化することができる。また、上下段補助布帛と三次元立体編物１０を接着層１２を介して積層した後、この積層体を加熱し、次いで、冷間プレス機の成形型間に介装させ、加圧することにより積層一体化することもできる。また、接着性樹脂フィルムを用いる場合は、上下段布帛と帯状三次元立体編物１０との間にフィルムを介装させて積層し、その後、加熱、加圧することにより積層一体化することもできる。
上下段布帛と三次元立体編物を接合する接着剤も特に限定されず、各種の接着剤を用いることができる。この接着剤としては、接着性成分を有するエマルジョン、スラリー、ゲル状接着剤、パウダー状接着剤、接着性樹脂フィルム、発泡樹脂からなる接着剤等が挙げられる。
【００１６】
（２）繊維織物にポリウレタン、ポリエステル、アクリルなどの樹脂をコーティングした布帛、塩化ビニールなどの熱可塑性シート等の布帛では、布帛を融点を超えるまで加熱し、圧力を加えることで溶着することができる。溶着技術には、注音波溶着、振動溶着、誘導溶着、高周波溶着、半導体レーザー溶着、熱溶着等の技術があるが、中でも高周波溶着は溶着する箇所のみを内部加熱させるため、短時間で、かつ溶着しない箇所に熱の影響を与えないため仕上がりが綺麗で好ましい。高周波溶着は電極の役目となる金型を下段補助布帛１４と三次元立体編物１０及び上段補助布帛１３からなる積層体に圧着させ、高周波振動管から出力された電磁波で金型が圧着している部分だけを誘導加熱することにより、上下段補助布帛１３、１４の表面が溶融した接着層が形成されて三次元立体編物１０と溶着させることができる。
【００１７】
三次元立体編物１０の上面編地８と下面編地９は、上下段布帛１４の表面に接合されている。しかし、上下段布帛１４の表面に被覆された表面処理剤により上下段布帛３との接合強度が低下する恐れがある。その場合には、（１）上下段布帛１４の表面に被覆された表面処理剤を溶剤等で除去するか、（２）上下段布帛１４の裏面を三次元立体編物１０との接合面とすることで接合強度の低下を防止することができる。例えば、（２）を採用する場合、図３のように三次元立体編物１０下面編地９に下段補助布帛１４の裏面を接合する。その場合、下段補助布帛１４の下端に下段布帛の上部との接合部に相当する長さの垂下り部が設けられる。下段補助布帛１４の上部は三次元立体編物の上端部で下方に折り返されて玉縁処理(パイピング）が施される。下段布帛３の上端部が下段補助布帛１４の垂下り部と接合される。なお、本発明でいう接合とは、接着、接着テープ、縫着、溶着等の総称である。
【００１８】
三次元立体編物１０は、通気抵抗が少なく、かつ雨摘の透過を阻止するために、厚さが５〜１５ｍｍ、好ましくは８〜１０ｍｍ、幅が１０〜４０ｍｍ、好ましくは１５〜２５ｍｍの三次元立体編物が使用される。厚さが５ｍｍ以下では通気断面積が少ない。また、断面積(厚さ)は大きい程望ましいが、厚さ１５ｍｍ以上では取り扱い難いうえに、布帛に大きな断層ができて見栄えが悪い。三次元立体編物１０の幅が１０ｍｍ以下では立体織物の切断が困難である。幅が４０ｍｍ以上では通気性が低下して実用的でない。三次元立体編物の厚さと幅は、特に衣服では着心地やデザインなどを考慮して決定される。
【００１９】
三次元立体編物１０は、表裏二層の編地を連結糸で連結した構造であり、通常ダブルラッセル編機、ダブルトリコット編機、ダブル丸編機、Ｖベッドを有する横編機等で編成される。表裏面二層の編地を構成する糸としてはポリエステル系繊維、ポリエチレン繊維、ポリプロピレン繊維、ポリ塩化ビニル繊維、ポリ塩化ビニリデン繊維などの疎水性の繊維が用いられる。また表裏面二層の編地を連結する連結糸は上記表裏面二層の編地と同じ繊維が使用されるが、通常圧縮回復率の優れたポリエステル系繊維が好ましく用いられる。
【００２０】
図４では、上段補助布帛１３の上下端部は、上段布帛２の下端部を内側に長く折返した折り返し片１７と縫着されている。また、折返し片の上端は目止めテープで上段布帛に接合されている。下段補助布帛１４と下段布帛３の接合は図１と同じであり説明を省略する。
図５は通気構想を有する布帛の他の例であり、下段補助布帛１４の上端部に下段布帛３の上端部が縫着され、かつ、下段補助布帛１４の下端部も下段布帛３に縫着されている。上段補助布帛１３と上段布帛２の接合は図１と同じであり説明を省略する。
【００２１】
図６は、通気構想を有する布帛の上段布帛２と上段補助布帛１３の接合例であり、上段布帛２の下端部を内側に長く折返した折り返し片１７の先端部と上段補助布帛１３の下端部を接合されている。上段補助布帛１３の上端部は折り返し片１７を挟んで上段布帛２と縫着されている。また、縫着ラインの裏側には目止めテープが貼着されている。下段補助布帛１４と下段布帛３の接合は図１と同じであり説明を省略する。
【００２２】
図７は通気構想を有する布帛の上段補助布帛１３と上段布帛２の他の接合例であり、下段補助布帛１４と上段補助布帛１３の下端部の間にメッシュ布帛１９が取り付けられている。メッシュ布帛１９により三次元立体編物１０の多数の連結糸１１が通気部材ユニットから露出することを隠すことができる。メッシュ布帛１９は三次元立体編物１０の紫外線による劣化を防止するため、紫外線が透過し難い、例えば黒や紺色などの暗黒色系統の布帛が好ましい。暗黒色系統の色でない場合は通気部材ユニット５が目立たない色、例えば上下段布帛と類似した色とすることが好ましい。上段補助布帛１３と上段布帛２の接合、下段補助布帛１４と下段布帛３の接合は図１と同じであり説明を省略する。
【００２３】
次に、図７に示す通気構造を有する布帛１に使用する通気部材ユニット５の製作方法の一例を図８にて説明する。図８ではメッシュ布帛を縫着で取り付けた例である。メッシュ布帛は縫着のほかに、接着、接着テープ、溶着などの接合手段で取り付けてもよい。なお、メッシュ布帛は外部から三次元立体編物１０の連結糸が見える場合は取り付けることが望ましいが、外部から三次元立体編物１０の連結糸が見え難い厚さが８ｍｍ以下の薄い三次元立体編物では、メッシュ布帛を取り付けなくてもよい。通気部材ユニット５の製作方法は、まず、
（１）上下段補助布帛１３、１４を上下段布帛２、３との縫着部に相当する端部を残して折り曲げ、該折り曲げ部を対向させて三次元立体編物１０の厚みに相当する間隔をあけて配置する。
（２）次に、該間隔を跨ぐようにその上部にメッシュ布帛１９を配置してメッシュ布帛１９の両端を上下段補助布帛１３、１４に接合する。
（３）接着層１２を設けた下段補助布帛１４に三次元立体編物１０を積層して貼着する。その後、
（４）接着層１２を設けた上段補助布帛１３を折り曲げて三次元立体編物１０と積層して貼着する。必要であれば、この積層体を加熱し、次いで、冷間プレス機の成形型間に介装させ、加圧することにより完全に貼着できる。なお、下段補助布帛１４の上端はパイピングが施されている。
【００２４】
図９は、通気構造を有する布帛１の第二の通気口Ｂをスライドファスナー２０によって、開閉、又は開口幅が調整可能な重ね合せ部４の詳細図であり、図１に示す通気構造を有する布帛１を構成する上段補助布帛１３の下端部と、下段補助布帛１４の下端部に各々スライドファスナーの一対の支持テープ２０（１）、２０（２）が取り付けられている。支持テープ２０（１）、２０（２）は第二の通気口Ｂから流入する雨摘が支持テープと布帛との接合部に溜まらないように下向きに取付けることが好ましい。また、スライダー（図示せず）は一つ、又は両端に一つづつ取り付けると、第二の通気口Ｂの開口位置及び開口幅が調整できて好ましい。第二の通気口Ｂを開閉したり、開口幅を調整することで、内部に流入、又は流出する空気量が調整できて、冬山登山などでの低体温症防止などの効果が期待される。
【００２５】
図１０は、通気構造のない既製の雨衣などの衣服へ通気部材ユニットを取り付けて通気構造を有する衣服に変更する例であり、まず、
（１）衣服の通気部材ユニット取り付け位置をカッターなどで直線状に切断して布帛を上下段布帛２、３に分割した後、
（２）通気部材ユニット１を該切断部から挿入して、上段補助布帛１３の下端を上段布帛２の下端部に接合する。上段補助布帛１３の上端も、目止めテープ１８などで上段布帛２の裏面に接合する。
（３）下段補助布帛１４は、その下端を上段布帛２の下端(切れ目)の位置より接合部の長さ分だけ長くして、下段布帛３の上端部を下段補助布帛１４の下端部に接合する。接合は縫着、溶着、接着などが採用されるが、両面接着テープを採用すれば容易に、かつ綺麗に接合できる。両面接着テープの場合には、接着前に接着面の表面層を除去すると強固な接着が可能である。
（４）雨衣では、図２に示すように、通気部材ユニット１の上下に積層された上下段布帛２、３を通気部材ユニット１の両側端部を圧縮して上下方向に縫着する。なお、上下段補助布帛１３、１４は衣服に使用された布帛と同一の布帛を使用することが好ましい。上下段布帛２、３を通気部材ユニット１の両側端部を圧縮して上下方向に縫着する。なお、上下段補助布帛１３、１４は衣服に使用された布帛と同一の布帛を使用することが好ましい。雨衣以外の衣服ではこの工程は不要である。
上記方法で通気部材ユニット５を取り付けると通気性のない既製の衣服を容易に通気構造を有する衣服に変更することができる。
【００２６】
図１１は図１の通気構造を有する布帛１を使用した雨衣の模式図であり、雨摘Ｗは上下段布帛２、３に沿って流下し、雨摘を含む外気は矢印Ｘのように第二の開口Ｂから三次元立体編物１０を構成する多数の連結糸１１に垂直方向から内部に侵入するが、多数の連結糸１１で雨滴が捕捉されて雨衣の内部への侵入が阻止される。外気は三次元立体編物１０の連結糸間を通過して雨衣内部に侵入する。雨衣内部に流入した外気は雨衣内の暖かく湿った空気を同伴しながら矢印Ｙのように第一の開口Ａから三次元立体編物１０を経て第二の開口Ｂから外部に排出される。第二の開口Ｂから流入する微細な雨滴は、三次元立体編物１０を構成する疎水性の連結糸１１に付着し、更にその上に微細な雨滴が付着する現象の繰り返しにより微細な雨滴が集合して次第に大きく成長し、ついには、大きな雨滴の集合物（例えば直径２０〜１００μｍ）として外部に流れ出る。また、上、下段補助布帛１３、１４が三次元立体編物１０の全表面に密着して接合されているため、布帛の撥水性が低下した時に水膜状に拡散する雨滴の第二の開口Ｂの接合部からの雨衣内部への侵入が阻止されるともに、装着者が前屈みになった時に第二の開口Ｂに溜まった雨滴の雨衣内部への侵入も阻止される。
【００２７】
本発明の通気構造を有する布帛１を衣服に使用する場合は、衣服とシャツなどのアンダーウエアとの密着防止と、衣服着用時に重ね合せ部４に形成された第一の通気口Ａに手を引掛けないよう、布帛１の内側に通気性の裏地、例えばメッシュ布帛などを散りつけることが好ましい。通気性の裏地によりアンダーウエアと衣服との間に隙間が形成されて通気性が向上し、かつアンダーウエアとのべとつき等がなく清涼感を保つことができる。アウトドア製品に通気構造を有する布帛を使用する場合は裏地を取り付けなくてもよい。
【００２８】
図１２は本発明の通気構造を有する布帛１を使用した雨衣２１の前面模式図であり、左右の前身頃ａ，ａ’の上下二カ所に夫々重ね合せ部４が設けられている。また、左右の脇見頃ｂ、ｂ’の上部に通気部２４が設けられている。該通気部２４は多数の通気孔を設けていても、上下の布帛を重ね合わせて上下の布帛の隙間にメッシュ布帛や薄い三次元立体編物を設けてもよい。２５は左右の脇見頃に設けられた脇ポケットである。帽子２３は雨衣の首回りに予め取付けていても、ホックや面ファスナーなどで着脱自在に取付けてもよい。図１３は雨衣２１と帽子２３の背面模式図であり、後身頃２６の上下二カ所に重ね合せ部４が設けられている。下部重ね合せ部の上段布帛には再帰反射素材のパイピング２７が施されている。上部重ね合せ部は肩甲骨の近傍に設けるとことが好ましい。
また重ね合せ部４はベンチュレーション効果による通気性向上のため通常上下二カ所に設けることが望ましい。雨衣に着脱自在に取付けられる帽子２３の後方に空気流出用の重ね合わせ部４が設けられ、帽子の前面から帽子内に侵入する風を重ね合わせ部４から流出させて帽子が飛ばされることを防止している。帽子２３に設けられる重ね合せ部４は帽子の後方のほかに、両側の耳の近くに設けると外からの声や音を聞き取り易くなる。
【００２９】
図１４は、他の雨衣２１と帽子２３の前面模式図であり、警備など夜間作業用に適している。重ね合せ部４が左右の前身頃ａ，ａ’の上下二カ所に設けられている。また、左右の脇見頃ｂ、ｂ’の上部に図１２と同じ通気部２４が設けられている。２５は左右の脇見頃ｂ、ｂ’に設けられた脇ポケットであり、２８は左前身頃に設けられた胸ポケットである。２９は右袖の上部に設けられた袖ポケットである。上下の重ね合せ部４の上段布帛２には再帰反射素材のパイピング２７が施されている。また、左袖の上部に再帰反射素材のパイピング２７が三重に施されている。帽子２３は視界を確保するため透明である。図１５は雨衣２１と帽子２３の後面模式図であり、図１３と同様に、後身頃２６の上下二カ所に重ね合せ部４が設けられ、上下部重ね合せ部４の下布帛に再帰反射素材のパイピング２７が施されている。雨衣に着脱自在に取付けられる帽子２３の後方に空気流出用の重ね合わせ部４が設けられている。
【００３０】
図１６は本発明の通気構造を有する布帛を使用した他の雨衣２１の前面模式図であり、左右の前身頃ａ，ａ’の上下二カ所に重ね合せ部４が設けられている。また、左右の脇見頃ｂ、ｂ’の上下二カ所にも重ね合せ部４が設けられ、袖にも重ね合せ部４が設けられている。図１７は背面の模式図であり、後身頃２６の上下二カ所に重ね合せ部４が設けられている。また、後身頃２６の上部重ね合せ部がハの字状に取付けられているため、雨衣の装着者が前屈みになったなどに発生する後見頃の突っ張りが少なく装着性が優れている。また、後身頃２６の下部重ね合せ部４の中心は上段布帛の下端部が捲き上がらないように上下段布帛を縫着している。
【００３１】
図１８はズボン２９の前面をモデル的に示す模式図（ａ）、（ｂ）である。ズボン２９では脚を動かし易いように重ね合せ部４を膝下部に設けるのが好ましい。重ね合せ部はズボンの全周であっても半周であってもよい。また、ベルト又はゴムライン２２の下部に、幅２〜３ｃｍのメッシュ布帛を胴回り全周、半周、あるいは長さ５〜１０ｃｍのメッシュ布帛を複数取り付けるか、または、内径６．５〜１５ｍｍのアイレットを、例えば５〜８個取り付けて重ね合せ部４から流入する外気の排出口としてもよい。メッシュ布帛を胴回り全周又は半周取り付ける場合は、ベルトラインの下部と上段布帛を細幅の布帛で連結し、メッシュ布帛を補強することが好ましい。ベルト付近に設けられたメッシュ布帛、又はアイレットは上着を着用すると隠れるため雨水が流入することはない。３１はポケットである。
模式図（ｂ）では、ズボンの上部ベルト芯縫付ラインから下方に傾斜した重ね合せ部４が設けられている。他は（ａ）と同じであり説明は省略する。
【００３２】
上着及びズボンに設けられた重ね合せ部４の位置と形状は、通気性の衣服の種類、着用者の身体の大きさ、着用場所、デザイン等を考慮して適宜決定される。また、各接合ラインには、日が暮れるのが早い雨天の日の安全性を確保するため、再帰反射素材のパイピングなどを施すことが好ましい。
【００３３】
図１９は本発明の通気構造を有する布帛を使用した作業着の前面模式図であり、左右の前身頃ａ，ａ`の上下二カ所に重ね合せ部４が設けられている。また、左右の袖にも重ね合せ部４が設けられている。１７はスライドファスナーである。図２０は作業着の後面模式図であり、後身頃２６の上下二カ所に重ね合せ部４が設けられている。なお、本発明の通気構造を有する作業着を着用しても高温環境での作業や重労働等で大量に汗をかいたときに汗を十分に排出できない場合には、例えば特許第４３２９１１８号や特許第４３９９７６５号などに記載されているように、左右の前身頃ａ，ａの下部にファン取り付け口（図示せず）を設け、該ファン取り付け口にファンを取り付けることが望ましい。該ファン取り付け口に取り付けたファン（図示せず）が作業服内に外気を強制的に取り込み、作業着内の水蒸気を伴って重ね合せ部４に設けられた第二の開口Ｂから効率よく排出させるため作業着の膨張による着用感の低下がなく、しかもファンで強制的に取り込まれた外気が作業服内に発生した水蒸気を伴って第二の開口Ｂから排出されるため汗をかいたときの着用感も向上する。
【００３４】
図２１は本発明の通気構造を有する布帛を使用したジャンバーの前面模式図であり、左右の前身頃ａ，ａの上部に設けられた上部重ね合せ部４と袖下から斜め下方に伸びる重ね合せ部４が設けられている。図２２はジャンバーの後面模式図であり、後身頃２６の上部に重ね合せ部４が設けられ、前身頃と同様に袖下から斜め下方に伸びる重ね合せ部４が設けられている。
【００３５】
図２３は、ランニングウエアの前面模式図であり、上下３枚の布片からなる前身頃ａ及び左右の脇見頃ｂ、ｂ’で構成されている。また、前見頃の上下二カ所に重ね合せ部４が設けられている。上下の重ね合せ部４は後見頃にも同様に設けられている。ランニングウエアでは通気性を向上させるため通気性の裏地、例えばメッシュ布帛などを取り付けることが好ましい。ランニングウエアでは、着用者がランニングすると前身頃に設けられた通気口から空気が流入して、ウエア内の空気を伴って背中側の通気口から排出されるため、ウエア内の相対湿度を効率よく低下させ、発汗によりウエアが濡れても乾燥するので着用感が向上する。
【００３６】
図２４は本発明の通気性の布帛を円筒状に加工した袖口３２の模式図であり、袖口３２は直径が先端方向に向けて漸次縮小されている。４は重ね合せ部であり、２、３は上下段布帛である。該重ね合せ部４は袖の全周囲、半周囲、あるいは周囲の一部に設けてもよい。また、袖口３２となる下段布帛３の先端に面ファスナー３３を取り付けると袖口３２の先端を手首に締め付けることができ袖口３２からの雨摘の侵入が阻止できる。面ファスナー３３の代わりに下段布帛の先端にリング状の空洞を設け、この空洞内にゴム又は細紐を挿入して袖口３２の先端を締め付けるようにしてもよい。
【００３７】
図２５は、本発明の通気構造を有する布帛を使用した傘、又はパラソル（以下傘という）４４の模式図である。傘に使用する傘布４５は防水性で通気性がなく、しかも雨摘が流下
しやすいようにお椀を伏せた形状をしているため、風が強いと傘３４が飛ばされたり、破
損する危険があるが、傘布４５に通気性の布帛１を使用して、重ね合せ部４を傘の上部に設けると傘３４の内側のお椀内に侵入する風を重ね合せ部４から外部へ逃がして、傘が受ける風圧を減衰させることができる。重ね合せ部４は、傘の大きさ、使用目的等により、複数設けてもよい。また、傘骨間に設ける重ね合せ部４の数は同じでも、異なっていても
よい。重ね合せ部４は傘を折り畳みやすい位置に設けることが好ましい。
【００３８】
図２６は屋外で使用される屋外用遮蔽幕３６の模式図であり、屋外における着替やシャワー用として使用されるが、強風時に風圧で飛ばされることがある。該遮蔽幕３６は、例えば４本のパイプ状支柱３７を連結パイプ３８で連結し、その周囲を通気性の布帛１で囲んでいる。重ね合せ部４を遮蔽幕３６の上下部に設けることにより遮蔽幕３６の内部に侵入する風を重ね合せ部４から外部へ逃がして、遮蔽幕が受ける風圧を減衰させることができるため風の強いときでも遮蔽幕３６が飛ばされることがない。３９はスライドファナーで開閉する出入り口である。
【００３９】
図２７は、キャンプ用の簡易設営テント４０の模式図である。簡易テントは、例えば４本の支柱４１と各支柱間に通気性の布帛１が張設されて４つの屋根面を形成している。また、４つの屋根面の内の一つに出入口４２が設けられている。また、屋根面に重ね合せ部４が設けられている。例えば、上部重ね合せ部４を屋根の頂部付近に設け、下部重ね合せ部４をテントの下部に設けるとベンチュレーション効果によりテント内の湿った暖かい空気が効率よく排気されてテント内部を快適な空間とすることができる。
【００４０】
図２８は、幌付トラック４３の模式図であり、トラック４３の荷台に複数の幌枠４４が取り付けられ、該幌枠４４に通気性の布帛１が張設されている。幌の上下に重ね合せ部４を設けるとベンチュレーション効果により幌の内部を快適な空間とすることができる。
【００４１】
実施例１
本発明の通気構造を有する布帛を使用した雨カッパの効果を確認するため分速９０ｍのトレッドミル歩行時の雨衣内温度及び外気温を下記の３条件で測定し、外気と雨衣間の温度差を求めた。
・  雨衣の第２の開口をテープで閉止した状態で無風下での走行を開始し、４０分後にテープを剥して開口を開放し、その状態で２０分間歩行する。
・  上記条件と同様であるが、２０分間歩行後に被験者の２ｍ前方から工業用扇風機で送風（弱風）する。
・  雨衣の第２の開口を開放した状態で、被験者の２ｍ前方から工業用扇風機で送風（弱風）しながら６０分間歩行する。
なお、実験に使用した雨カッはナイロンにウレタンをコーティングした耐水圧：２０００ｍｍ以上、透湿：０の布帛を使用して図１２のカッパを製作した。布帛は図１の通気構造を採用した。また、ポリエステルのメッシュ布帛からなる収容空間に三次元立体編物（２０ｍｍ幅に切断した旭化成商事株式会社製「フォージョンR」品番：ＡＫＥ６５７１０（厚さ：１０ｍｍ））を収容した通気部材を使用した。裏地にはポリエステルのメッシュ布帛を使用した。                                    
温度の計測にはＪ熱電対を使用し、Ｊ熱電対が衣服やカッパに接触しないように衣服の表面に両面接着テープで張り付け、その上からカッパを着用した。
被験者はポリエステル製の半袖Tシャツの上に同素材のロングTシャツを着用した。
図２９は、上記３条件でトレッドミル歩行中の外気温とカッパ内温度を測定し、外気温とカッパ内温度の差の変化を示すグラフである。グラフから歩行開始前に第２の開口をテープで閉止し、４０分後にテープを剥して開口を開放すると、外気とカッパ内の温度が小さくなったことから、本発明の通気構造が有効であることが明らかである。
【００４２】
実施例２及び比較例１
次に、本発明の通気構造を有する布帛を使用したカッパ１（実施例１で使用したカッパ）と機能の異なる２種類の布帛を使用したカッパ２及び３の効果を比較するため被験者に各カッパを着用させて、２ｍ前方から工業用扇風機で送風（弱風）しながらトレッドミル歩行（分速９０ｍ）を６０分間行なわせ、トレッドミル歩行中の外気温、カッパ内温度、心拍数、酸素摂取量を測定した。
カッパ１：              発明品  
布帛：ナイロンにウレタンをコーティング
耐水圧：２００００ｍｍ以上 
透湿：０
カッパ２：              ノースフェイス社製
商品名：ノースフェイス  ＮＰ１０１８０
布帛：「HYVENTR・D」（ナイロンに防水透湿ウレタンをコー
ティング）
耐水圧：２００００ｍｍ以上
透湿：１５０００ｇ／ｍ２／２４ｈ以上
カッパ３：              マック社製  
商品名：フェニックスＡＳ−７２００
布帛：ナイロンに透湿ウレタンをコーティング
耐水圧：１００００ｍｍ以上
透湿：２０００ｇ／ｍ２／２４ｈ以上
【００４３】
図３０は、各カッパ着用時のトレッドミル歩行中の外気温とカッパ内温度差の変化を示すグラフである。いずれのカッパも歩行開始１０分後に定常を示したが、カッパ３は外気温よりもカッパ内温度が約２．２℃高い状態で定常となり、カッパ１とカッパ２はともに外気温よりも約１．９℃高い状態で定常となった。
このことからカッパ３はカッパ１、２よりもカッパ内温度が高く、かつ、カッパ１とカッパ２のカッパ内温度は同等、言い換えれば、本発明の通気構造を有する布帛を使用したカッパと、透湿性の優れた布帛を使用したカッパの透湿性能は同等である。
【００４４】
図３１は、各カッパ着用時のトレッドミル歩行中の被験者の心拍数の変化を示すグラフである。図からカッパ１を着用して歩行した場合は、カッパ２、３を着用して歩行した場合と比べ心拍数が低いことが明らかである。
心拍数は温度の高い環境で作業や運動をすると高い値を示すため、各カッパ着用時のトレッドミル歩行中の歩行速度が同じ速度（９０ｍ／分）なので、心拍数が低いということはカッパ１がカッパ２、３と比べ生体への負担が少ないことを示している。
【００４５】
図３２は、各カッパ着用時のトレッドミル歩行中の被験者の酸素摂取量の変化を示すグラフである。酸素摂取量は、作業や運動中のエネルギー消費と比例関係にあり、温度の高い環境では上昇する。
グラフからカッパ１を着用して歩行した場合は、カッパ２、３を着用して歩行した場合と比べ酸素摂取量が明らかに低いことを示している。
【００４６】
図３３は、各カッパ着用時のトレッドミル歩行中の被験者の心拍数と酸素摂取量から計算された酸素脈の変化を示すグラフである。酸素脈とは心臓が１拍収縮した時の体重１ｋｇあたりの酸素の供給量を示す値であり、酸素脈が高い値の場合は、心臓が効率よく働いていることを示す指標である。グラフから
カッパ１を着用して歩行した場合は、カッパ２、３を着用して歩行した場合と比べ明らかに酸素脈が高いことを示している。
【００４７】
上記各グラフから換気構造を有する本発明の布帛を使用したカッパ１は、通気性については、透湿性が優れた布帛を使用したカッパ２と同等であるが、透湿性のない布帛を使用したカッパ３より優れていた。
一方、生体への負荷については、本発明の布帛を使用したカッパ１は、カッパ２、３よりも負担度が低く、疲労が少ない。
【００４８】
上記実施例と比較例は雨天下ではなく屋内で行われたものであるが、雨天下では外気温度が低く、カッパ内の温度は体の発熱によって上昇するため透湿性がさらに向上する可能性がある。
また、雨天下では歩行時に風圧を受け、通気量が増大するためカッパの性能が上昇する可能性がある。
更に、本発明の通気構造を有する布帛の優れた機能は、晴天時に着用するジャンバー、ユニフォームなどの衣服、テントなどのアウトドア製品などにも適用できる。
【００４９】
実施例３
実施例１で使用した通気構造を有する布帛を使用したカッパ１の強風下における第一の開口からの雨水の侵入の有無について試験した。まず、カッパに設けられた第一の開口を囲んで雨水の侵入確認用のティッシュペーパーを張り付けた後、綿の肌着の上にポリエステルのスポーツシャツを着た被験者にカッパを着用させた。工業用扇風機で送風（強）し、かつ、送風口に水を滴下させて風雨の激しい状態とした。次に工業用扇風機の２ｍ前方で被験者に１０分間体操をしてもらった。その後第一の開口に取付けたティッシュペーパーが濡れているか否かを目視で確認したが、濡れは全く確認できなかった。
【産業上の利用可能性】
【００５０】
本発明の通気構造を有する布帛は、型崩れがなく、かつ通気性に優れ、しかも開口が圧迫
されて閉止されることがないため蓄積する熱気と湿気が外部に効率よく放散でき作業服、
ユニフォーム、カッターシャツ、ジャンバー、ワイシャツ、学生服等の衣服用の布帛とし
て好適である。
また、雨水の侵入を阻止する防水加工された通気構造を有する布帛は、内部に熱気と湿気
が蓄積して蒸れやすいレインコート、ヤッケ、アノラックなどの雨衣や、各種テント、ト
ラックや乗用車などの幌、遮蔽幕などのアウトドア製品に好適である。更に、風圧により
飛ばされたり、破損する恐れのある幕、雨傘、日傘、レインコートのフードなどに使用さ
れる。
【符号の説明】
【００５１】
１  通気性の布帛
２  上段布帛
３  下段布帛
４  重ね合せ部
５  通気部材ユニット
８  上面編地
９  下面編地
１０  三次元立体編物
１１  連結糸
１２  接着層
１３  上段補助布帛
１４  下段補助布帛
１５  接合部
１６  玉縁処理
１７  折返し片
２１  雨衣
２３  帽子
２９  ズボン
３２  袖口
３４  傘
３６  遮蔽幕
４０  簡易テント
４３  トラック
４４  幌
【図１】
2015096323.tif 000003
【図２】
2015096323.tif 000004
【図３】
2015096323.tif 000005
【図４】
2015096323.tif 000006
【図５】
2015096323.tif 000007
【図６】
2015096323.tif 000008
【図７】
2015096323.tif 000009
【図８】
2015096323.tif 000010
【図９】
2015096323.tif 000011
【図１０】
2015096323.tif 000012
【図１１】
2015096323.tif 000013
【図１２】
2015096323.tif 000014
【図１３】
2015096323.tif 000015
【図１４】
2015096323.tif 000016
【図１５】
2015096323.tif 000017
【図１６】
2015096323.tif 000018
【図１７】
2015096323.tif 000019
【図１８】
2015096323.tif 000020
【図１９】
2015096323.tif 000021
【図２０】
2015096323.tif 000022
【図２１】
2015096323.tif 000023
【図２２】
2015096323.tif 000024
【図２３】
2015096323.tif 000025
【図２４】
2015096323.tif 000026
【図２５】
2015096323.tif 000027
【図２６】
2015096323.tif 000028
【図２７】
2015096323.tif 000029
【図２８】
2015096323.tif 000030
【図２９】
2015096323.tif 000031
【図３０】
2015096323.tif 000032
【図３１】
2015096323.tif 000033
【図３２】
2015096323.tif 000034
【図３３】
2015096323.tif 000035